(57)【要約】【課題】調節可能な長さの呼吸回路を提供する。【解決手段】この単肢型呼吸回路は、近位端側連結部材と、遠位端側連結部材と、これらの近位端側および遠位端側の連結部材の間に延在している呼気管と、それらの近位端側および遠位端側の連結部材の間に延在している吸気管と、を有している。この呼気管は完全に圧縮された静止位置と完全に伸張された静止位置との間で伸縮可能である波形の呼気管であり、複数の中間の静止位置を有する。これらの複数の中間の静止位置において、上記呼気管は、外力を行使しなくても、その静止長を維持できる。一方、上記吸気管は完全に圧縮された静止位置と完全に伸張された静止位置との間で可変である長さを有する波形の吸気管であり、その完全に伸張された静止位置と完全に圧縮された静止位置との間に複数の中間の静止位置を有する。この吸気管も、外力を行使しなくても、その中間の静止位置を維持することができる。【選択図】図１
2007517601.tif 000002
【特許請求の範囲】
【請求項１】
単肢型呼吸回路において、
近位端側連結部材と、
遠位端側連結部材と、
波形の呼気管であって、前記近位端側連結部材に連結されている第１の端部、および前記遠位端側連結部材に連結されている第２の端部を有し、完全に圧縮された静止位置と完全に伸張された静止位置との間で伸縮可能であり、複数の中間の静止位置を有していて、外力を行使しなくても、その静止長を維持することができる、呼気管と、
吸気管であって、前記近位端側連結部材に連結されている第１の端部、および前記遠位端側連結部材に連結されている第２の端部を有し、完全に圧縮された位置と完全に伸張された位置との間で伸縮可能であり、複数の中間の静止位置を有していて、外力を行使しなくても、その静止長を維持することができる、吸気管と、
を備えており、
前記吸気管の長さは、前記呼気管の長さよりも長い、単肢型呼吸回路。
【請求項２】
請求項１に記載の単肢型呼吸回路において、
前記吸気管および前記呼気管の各々が完全に伸張された位置にある時に、前記吸気管の長さは、２．５〜１７．８ｃｍ（１〜７インチ）の間にある、単肢型呼吸回路。
【請求項３】
請求項１に記載の単肢型呼吸回路において、
前記吸気管の長さは、前記呼気管の長さよりも、７．６２〜１２．７ｃｍ（３〜５インチ）だけ長い、単肢型呼吸回路。
【請求項４】
単肢型呼吸回路において、
軸線を有する近位端側連結部材と、
軸線を有する遠位端側連結部材と、
波形の呼気管であって、前記近位端側連結部材に連結されている第１の端部、および前記遠位端側連結部材に連結されている第２の端部を有し、完全に圧縮された静止位置と完全に伸張された静止位置との間で伸縮可能であり、複数の中間の静止位置を有していて、外力を行使しなくても、その静止長を維持することができる、呼気管と、
吸気管であって、前記近位端側連結部材に連結されている第１の端部、および前記遠位端側連結部材に連結されている第２の端部を有し、完全に圧縮された位置と完全に伸張された位置との間で伸縮可能であり、複数の中間の静止位置を有していて、外力を行使しなくても、その静止長を維持することができる、吸気管と、
を備えており、
前記遠位端側連結部材は、前記吸気管を受容するための軸線を含む末端部分を含み、当該末端部分の軸線は、前記遠位端側連結部材の軸線から半径方向にずれている、
単肢型呼吸回路。
【請求項５】
単肢型呼吸回路において、
近位端側連結部材と、
遠位端側連結部材と、
波形の呼気管であって、前記近位端側連結部材に連結されている第１の端部、前記遠位端側連結部材に連結されている第２の端部、内径、および外径を有し、完全に圧縮された静止位置と完全に伸張された静止位置との間で伸縮可能であり、複数の中間の静止位置を有していて、外力を行使しなくても、その静止長を維持することができる、呼気管と、
吸気管であって、前記近位端側連結部材に連結されている第１の端部、前記遠位端側連結部材に連結されている第２の端部、内径、および外径を有し、完全に圧縮された位置と完全に伸張された位置との間で伸縮可能であり、複数の中間の静止位置を有していて、外力を行使しなくても、その静止長を維持することができる、吸気管と、
を備えており、
前記呼気管の内径に対する前記吸気管の外径の比率は、前記吸気管と前記呼気管との間の流れの抵抗を最小限にし、前記吸気管および前記呼気管の概ね線形の圧縮性および伸縮性を助長するような大きさに決められている、
単肢型呼吸回路。
【請求項６】
請求項５に記載の単肢型呼吸回路において、
前記呼吸回路の流れの抵抗は、６０Ｌ／分の流れにおいて、前記回路を通過する圧力降下が５ｃｍの水以下である、単肢型呼吸回路。
【請求項７】
請求項５に記載の単肢型呼吸回路において、
前記呼気管の内径に対する前記吸気管の外径の比率は、０．６５〜０．８５である、単肢型呼吸回路。
【請求項８】
請求項７に記載の単肢型呼吸回路において、
前記呼気管の内径に対する前記吸気管の外径の比率は、０．７０〜０．８０である、単肢型呼吸回路。
【請求項９】
請求項５に記載の単肢型呼吸回路において、
前記呼気管の内径に対する前記吸気管の外径の比率は、ほぼ０．７５である、単肢型呼吸回路。
【請求項１０】
請求項７に記載の単肢型呼吸回路において、
前記吸気管の外径と前記呼気管の内径との間の大きさの違いは、０．６３〜０．７４ｃｍ（０．２５〜０．２９インチ）の間にある、単肢型呼吸回路。
【発明の詳細な説明】
【開示の内容】
【０００１】
〔優先権主張〕
本出願は、２００４年１月９日に出願されている、米国仮特許出願第６０／５３５，２３５号に基く恩典を主張している。
【０００２】
〔発明の分野〕
本発明は呼吸および麻酔の装置に関連しており、特に、呼吸の管理または麻酔の環境において使用するための呼吸回路に関連している。
【０００３】
〔発明の背景〕
手術中に患者に麻酔を施すために、複数の部品を含んでいる麻酔システムが用いられている。この中で、主要な部品は麻酔装置であり、この装置は患者との間の麻酔のガスおよび空気の流れを調節する。また、再呼吸回路内において患者の呼気から二酸化炭素を除去するために、二酸化炭素吸収装置を上記の麻酔装置に取り付けることもできる。
【０００４】
患者の側においては、患者にガスを送達するためにその患者に連結できる顔面マスクまたは気管内管が備えられる。このような顔面マスクの例は、譲受人のウェブ・サイトであるwww.KingsSystems.comか、または、ヒンクル（Hinkle）の米国特許第４，８９６，６６６号において、見ることができる。また、気管内管(tracheal tubes)の例は、フラッセ（Frasse）の米国特許第５，４４９，６２５号、およびバートラム（Bertram）の米国特許第５，８１９，７３３号において開示されている。これらの患者連結型の装置（すなわち、顔面マスクおよび／または気管内管）は、その患者連結型の装置と麻酔装置との間に延在する呼吸回路を介して、流体（ガス体）により連通している麻酔装置、に連結されている。
【０００５】
いくつかの異なる種類の呼吸回路が存在している。二つの主な種類の呼吸回路は、二肢型回路および単肢型回路、である。
【０００６】
二肢型回路は、麻酔装置から患者にガスを送達するための吸気管と、患者から麻酔装置に吐き出されたガスを送達する呼気管と、を有している一対の分離された管、を備えている。このような二肢型回路において、上記の二種類の管は分離された管を構成しており、これらの管は、患者の側において、一般的に、「Ｙ」字形または「Ｔ」字形の管により、一緒に、流体を介して連結されている。一方、単肢型回路の各管の装置側は分離していて、吸気管の装置側は麻酔装置の「流出」ポートに連結されており、呼気管の装置側は麻酔装置の「流入」ポートに連結されている。例えば、二肢型回路の概略的な表現の例は、フクナガ（Fukunaga）他の、米国特許出願公開第２００３／０１８３２３２Ａ１号（２００３年１０月２日）の図１ｃにおいて見ることができる。
【０００７】
第２の種類の回路は単肢型回路であり、この場合に、吸気管は一緒に接合されている。このような単肢型呼吸回路の例は、レアグレ（Leagre）他の米国特許第５，４０４，８７３号、フクナガ（Fukunaga）の米国特許第４，２６５，２３５号、およびフクナガ（Fukunaga）他の米国特許第５，７７８，８７２号、同５，９８３，８９１号、同５，９８３，８９４号、同５，９８３，８９６号、同６，００３，５１１号、同６，５６４，７９９号、フクナガ（Fukunaga）他の米国特許出願公開第２００３／００７５１７６号および同ＵＳ２００３／０１８３２３１号、およびシコラ（Sikora）の米国特許第５，１２１，７４６号、において開示されている。
【０００８】
上記レアグレ（Leagre）の‘８７３号特許において開示されているように、単肢型回路は、一般的に、比較的に剛性の装置端側（近位側）のコネクタであって、これを通して、上記回路が麻酔装置に連結される装置側コネクタと、比較的に剛性の患者端側（遠位側）のコネクタであって、呼吸回路を患者に連結させるために、顔面マスクまたは気管内管に連結できる、患者側コネクタと、を含んでいる。さらに、比較的に柔軟な呼気管が、上記の患者端側コネクタと装置端側コネクタとの間に、延在している。また、比較的に柔軟な吸気管が呼気管と同軸に配置されている。吸気のガスを暖めるように、さらに良好な熱交換を助長するために、吸気管は、一般的に、比較的に大きな直径の呼気管よりも、小さい直径を有していて、この吸気管は呼気管の内側に存在できるようになっている。このような、レアグレ（Leagre）他の‘８７３号特許において開示されている、呼吸回路は、本特許出願の譲受人である、キング・システムズ・コーポレイション（KING SYSTEMS CORPORATION）により、ユニバーサル・エフ（UNIVERSAL F）（登録商標）呼吸回路の商品名で、市場において販売されている。
【０００９】
さらに、本発明の譲受人である、キング・システムズ・コーポレイション（KING SYSTEMS CORPORATION）により販売されている別の呼吸回路が、上述の、フクナガ（Fukunaga）他の‘８７２号特許、同‘８９４号特許、同‘８９６号特許、同‘５１１号特許、および同‘７９９号特許において、少なくとも概略的に、開示されている。
【００１０】
これらのフクナガ（Fukunaga）およびレアグレ（Leagre）の特許において示されている呼吸回路は単肢型回路として描かれており、この場合に、その呼気管および吸気管は互いに同軸に配置されている。一般的に、内側の比較的に小さい直径の管は吸気管として使われていて、外側の比較的に大きな直径の管は呼気管として用いられている。これらのレアグレ（Leagre）特許において示されている呼吸回路とフクナガ（Fukunaga）特許において示されている呼吸回路との間の注目すべき違いは、これらの回路における装置端側カップラーにおける違いにある。
【００１１】
一方、上記のレアグレ（Leagre）およびフクナガ（Fukunaga）の装置における吸気管および呼気管は、ユニバーサル・エフ（UNIVERSAL F）（登録商標）およびユニバーサル・エフ２（UNIVERSAL F2）（登録商標）において実施されているように、共に波形の吸気管および波形の呼気管を用いている点において、類似している。これらの波形の吸気管および波形の呼気管は単一の静止長(rest length)を有するように波形になっているが、その管の長さが伸縮されることを可能にしている。
【００１２】
これらの波形の吸気管および呼気管の長さの可変性は、短期間にわたり延ばされたり（長くなったり）圧縮されたり（短くなったり）することを可能にするために、上記のユニバーサル・エフ（UNIVERSAL F）（登録商標）およびユニバーサル・エフ２（UNIVERSAL F2）（登録商標）の回路の中に設計されている。この長さにおける変化は、しばしば、患者および麻酔装置の相対的な位置が変えられる時に生じ、通常において、その相対位置の変化の間に管を伸ばす必要性を含む。しかしながら、呼気管および吸気管は固定された静止長を有するように設計されているので、これらの固定された静止長からの吸気管および呼気管の長さの何らかの変化が呼気管に「応力」を及ぼして、その呼気管に圧縮力や伸びの力を生じさせ、（適宜に）その管がその一定の静止長に戻ることを可能にする。
【００１３】
呼気管の伸びの間に、吸気管は上記のユニバーサル・エフ（UNIVERSAL F）（登録商標）およびユニバーサル・エフ２（UNIVERSAL F2）（登録商標）の呼吸回路の中の装置側コネクタに連結されているだけであるので、この吸気管は一般的に伸びない。しかしながら、これらの吸気管および呼気管は共に、メリジアン・メディカル・システムズ（Meridian Medical Systems）により販売されている回路等のような呼吸回路の中においては、延びやすく、これは、このメリジアン・メディカル（Meridian Medical）の呼吸回路が、装置側および患者側の両方のコネクタに連結されている吸気管、を用いているためである。
【００１４】
また、単一の静止長の波形の管を用いる別の理由は、これらの管がよじれることを防ぐためである。このようなよじれを防ぐことはきわめて望ましく、その理由は、このようなよじれが、ちょうど、庭用のホースがよじれる時に、その中を通る水の流れが閉塞または遮断されるように、管の中のガスの流れの閉塞や遮断を生じる可能性があるからである。
【００１５】
さらに、別の単肢型呼吸回路がシコラ（Sikora）の米国特許第５，１２１，７４６号において開示されている。このシコラ（Sikora）の装置は単肢型回路を用いており、この場合に、呼気管および吸気管は、共通の壁部に接合していて、その呼吸回路に、θに似ている形態、を与えている。このシコラ（Sikora）の特許において開示されている管も、疑いなく、上述のユニバーサル・エフ（UNIVERSAL F）（登録商標）およびユニバーサル・エフ２（UNIVERSAL F2）（登録商標）の装置において用いられている波形の管と、同じ多くの理由により、波形であるように見える。
【００１６】
上述の装置、特にユニバーサル・エフ（UNIVERSAL F）（登録商標）およびユニバーサル・エフ２（UNIVERSAL F2）（登録商標）の装置は、きわめてみごとに、それぞれの目的とされる機能を実行するが、まだ、改善の余地が存在している。
【００１７】
困難さの一つの原因は呼吸回路の単一の静止長にある。このような単一の静止長は、多数の長さの管を、異なる状況および選択に適合させるように、製造すること、を必要とする。例えば、一部の医療の専門家は比較的に短い長さ（例えば、４４インチ、または１１２ｃｍ）の管を好む場合があるが、別の医療の専門家は、麻酔装置を目立たなくするように、その装置を患者からさらに離すことを好み、そのため、比較的に長い（例えば、８８インチ、または２２４ｃｍ）の呼吸回路を必要とする場合もある。
【００１８】
製造者の観点から、異なる回路の長さに対する要望により、製造者は、呼吸回路をさまざまな長さで製造することが必要になる。一方、使用者（例えば、病院や外科センター）の観点からは、そのような異なる要望される長さに対して、それぞれのエンド・ユーザーは、いくつかの異なる回路の長さを用意すること（在庫として保持したりすること）が必要になる。
【００１９】
別の困難さは輸送において見られる。すなわち、波形の管を有する単一の静止長の回路は単一の静止長しか有していないので、このような装置を用いる場合に、その装置が伸ばされることも圧縮されることもなく、その目的を十分に果たすように、その管を、比較的に長い静止長（例えば、４４インチまたは８８インチ、すなわち、１１２または２２４ｃｍ）を有するような、長さに作る必要がある。また、このような単一の静止長の波形の管の弾性により、その管は、伸ばされると、その静止長に、その管を圧縮して短くして戻す傾向のある、圧縮力、を発揮する。
【００２０】
上記のような管により及ぼされる圧縮力は、呼吸回路が、装置または患者のいずれかに対するその連結から引き放される、外側の分断と、波形の呼吸用の管が装置側または患者側の連結の内の一つから引き離される、内側の分断と、の両方を、容易にする可能性があるので、伸張される場合にその装置が用いられることは好ましくないと思われる。つまり、上記のような内側および外側の両方の分断を生じる状況を避けることが望ましい。
【００２１】
上記の結果として、例えば、１１２ｃｍ（４４インチ）の呼吸回路は、１１２ｃｍ（４４インチ）の静止長を有しており、この長さは、通常において、外部のクランプ力を及ぼすことなく、任意の相当な長さの時間にわたり、圧縮させることができない（したがって、輸送のためにさらに小さくはできない）。したがって、このように、外部のクランプ力を加えずに、静止長を短く変えることができないので、製造者は、上記の仮の１１２ｃｍ（４４インチ）の呼吸用の管の全体の１１２ｃｍ（４４インチ）の長さに合わせるために、容器や箱の中に十分な貯蔵の空間を設けることが必要になる。加えて、上記のような呼吸回路の全体の１１２ｃｍ（４４インチ）の長さに合わせるために十分な貯蔵の空間を、病院や外科センターの使用者が備えることも必要になる。
【００２２】
上記のことから、輸送の間に、より小さな空間を占めるように圧縮させることが可能である、呼吸回路を有することが望ましくなることが認められるであろう。加えて、例えば、単一の装置がその完全に圧縮された（輸送用の）長さから、例えば、部分的に伸張された、１１２ｃｍ（約４４インチ）の全長を有する「短い管の長さ」まで延長させることができ、さらに、２２４ｃｍ（８８インチ）の呼吸回路等のような、長い呼吸回路の静止長に等しい静止長を有することが可能である、完全に伸張された（完全に圧力を除いた）位置に伸ばすことができるように、複数の持続可能な静止長を含む呼吸回路を構成することが望ましくなると考えられる。
【００２３】
本発明の一例の目的は、装置が、輸送、貯蔵および一部の麻酔の適用において、長さを減少させるために、完全に圧縮された位置に配置できるが、その圧縮された位置よりも長い所望の長さを与えるために、複数の延長された静止位置に持続可能に保たれることも可能であるように、複数の固定された静止長を有する上記のような呼吸回路、を提供することである。好ましくは、上記の装置は、上記の呼吸回路における完全に圧縮された位置と完全に延長された位置との間において、長さが変わる多様な静止長において、持続可能でもある。
【００２４】
〔発明の概要〕
本発明によれば、近位端側連結部材と、遠位端側連結部材と、これらの近位端側連結部材および遠位端側連結部材の間に延在する呼気管と、これらの近位端側連結部材および遠位端側連結部材の間に延在する吸気管と、を有している単肢型呼吸回路が開示されている。この呼気管は、完全に圧縮されている静止位置と完全に伸張されている静止位置との間において伸びることができ、複数の中間の静止位置を有する波形の呼気管、を構成している。複数の中間の静止位置において、上記の呼気管は、外力を行使しなくても、その静止長を維持できる。また、上記の吸気管は、完全に圧縮されている静止位置と完全に伸張されている静止位置との間において可変であり、それらの完全に伸張されている静止位置と完全に圧縮されている静止位置との間に複数の中間の静止位置を含む長さ、を有する波形の吸気管、を構成している。この吸気管は、呼気管と同様に、外力を行使しなくても、その中間の静止位置を維持することができる。
【００２５】
好ましくは、上記吸気管の長さは上記呼気管の長さよりも、それぞれが完全に伸張されている時に、約２．５〜１７．８ｃｍ（約１〜７インチ）、さらに最適には、約１０．２ｃｍ（約４インチ）だけ、長い。
【００２６】
一例の好ましい実施形態において、上記の呼気管および吸気管は互いに概ね同軸に配置されており、遠位端側連結部材は呼気管連結部材を含み、この呼気管連結部材は、患者側コネクタの近くにおいて、中心に置かれている状態および同軸の状態から、半径方向にずれている。
【００２７】
本発明の別の好ましい実施形態において、上記吸気管は内径および外径を有しており、上記呼気管も内径および外径を有している。この吸気管の外径と呼気管の内径は、吸気管の外表面部と呼気管の内表面部が呼気の通路を定めていて、この場合に、その呼気の通路に沿う空気の流れの抵抗が最小限になるような大きさに、互いに、作られている。加えて、呼気管の内径と吸気管の外径との間の大きさの違いは、呼気管が線形に圧縮される時の、吸気管の概ね線形の圧縮を十分に助長する程度に、十分に小さくする必要がある。
【００２８】
本発明の一例の特徴は、アコーデオン・タイプの波形の管が用いられていることであり、この場合に、それぞれのひだは、維持可能な伸張された静止位置および維持可能な圧縮された静止位置に置くことができる。呼吸管は多数の上記のようなひだにより構成されているので、この管は多数の静止長を有することができる。この特徴は、使用者が、自分の特定の要求に合わせるために、上記の管の動作の長さを変更することを可能にするという利点、を有している。加えて、このことは、上記の管を輸送および貯蔵の間に圧縮して、輸送および貯蔵の間にその管により必要とされる空間の量を減少させること、を可能にすると共に、その管を使用中に伸張して、手術室の作業員、特に、麻酔科医に適合する長さに伸張すること、を可能にしている。
【００２９】
本発明の別の特徴は、上記呼気管の外径と上記吸気管の内径が、その吸気管の外表面部と呼気管の内表面部との間に存在している呼気の通路を通る空気の流れの抵抗を最小限にするような大きさに作られているということ、である。
【００３０】
外科手術中において、ガスの通路を通るガスの自由な流れを促進させるために、可能な限り遮断されていない吸気の通路および呼気の通路等のように、ガスの通路を保つことが重要である。一般的な規則として、管の部材により引き起こされる空気の流れの抵抗を最小限にすることが望ましい。この点に関して、例えば、一連の半径方向に延出しているバッフル（自動車のマフラー(car muffler)において見られるようなもの）を有していて、したがって、これらのバッフルがその通路を通る流れの抵抗を増すと考えられる、管、を使用することには禁忌が示されるであろう。
【００３１】
上述のユニバーサル・エフ（UNIVERSAL F）（登録商標）およびユニバーサル・エフ２（UNIVERSAL F2）（登録商標）の装置等のような、通常の、単肢型の呼吸回路においては、上記の抵抗は、ガスが妨げられずに中を通して流れることを可能にするように、吸気管の外表面部と呼気管の内表面部との間に、十分な空間を与える外径の大きさを有する吸気管と内径の大きさを有する呼気管と、を選択することにより、最小限にされている。上記のユニバーサル・エフ（UNIVERSAL F）（登録商標）およびユニバーサル・エフ２（UNIVERSAL F2）（登録商標）の装置は、共に、一体の静止状態停止型の管を用いているので、この管のエンジニアは、本質的に、その吸気管および呼気管の単一の相対的な長さ、における、呼気の流路の中の、吸気管と呼気管との間の、空気の抵抗について、関心を持つ必要がある。
【００３２】
本発明においては、呼気管および吸気管の直径の寸法決めはかなり困難な仕事になる。このような寸法決めが比較的に困難になる一つの理由は、それぞれの管の外径および内径が、上記のひだがそれぞれの圧縮されたまたは伸張された位置であるか否かにより、変わること、である。なお、呼気管の内径は、その呼気管のひだが伸張されている時よりも、そのひだが圧縮されている時に、小さくなることが、一般に、分かっている。同様に、吸気管の外径は、その吸気管のひだが伸張されている時に比べた場合に、その吸気管が圧縮されている時に、大きくなる。
【００３３】
一見して、呼気管の直径を大幅に拡大し、さらに／または、吸気管の直径を大幅に減少させることにより、生じると考えられるような、吸気管の外径と呼気管の内径との間の差を最大にすることにより、上記の寸法決めの問題に対して、簡単な解決方法が存在しているように思われる。しかしながら、このような方策は、十分に機能する呼吸回路、を必ずしも結果として生じるとは限らない。例えば、このような方策は抵抗を減少させるために役立つと考えられるが、この方策は、その呼吸回路の長さを調節するための、特に、吸気管の長さを変更するための、使用者の能力に、悪影響を及ぼすという欠陥、を有している。
【００３４】
例えば、吸気管の外径と呼気管の内径との間の差が過度に大きければ、その吸気管は著しくよじれやすくなり、あるいは、管の長さが短縮される時に圧縮しにくくなる。上述のように、管のよじれはきわめて望ましくない。加えて、過度に大きな呼気管の内部の中における吸気管の圧縮は、その吸気管に、圧縮中にその線形を失わせることにより、「ヘビに似た状態」を採らせるので、抵抗性が損なわれる可能性がある。すなわち、呼気管の中における、吸気管のうねった波様の形態は、抵抗性を増すことを助長する可能性があることが、本特許出願人により分かっている。加えて、吸気管が、概ね線形の経路から、さらに湾曲しているうねった経路に変形するほど、吸気ガスの通路の中の抵抗性も増す可能性がある。
【００３５】
また、吸気管および呼気管は互いに概ね同軸に配置されているが、吸気管の患者側の連結部分は、呼気管の軸線に対して、半径方向にずれている位置に、その吸気管を連結しているというということも、本発明の特徴である。このようなずれた配置は、呼気のガスが、患者から、呼気管と吸気管との間の、呼気の通路の中に流れるための、比較的に良好に定められた、比較的に低い抵抗性を有する通路、を与える。実際に、患者側の連結部分と呼気管との間に流れるガスはその患者側の連結部分から呼気管の中に概ね向かう方向に流れている。
【００３６】
本発明の別の特徴は、それぞれの管のひだが、設計されている静止長を保持するためのそれぞれの能力を失わずに、それぞれの圧縮された位置とそれぞれの伸張された位置との間において、繰り返して移動できるように、吸気および呼気の柔軟な管が設計されていること、である。この特徴は、ある処置の開始時に、使用者が所望の長さを得ることができるように、あるいは、処置の間に、使用者が処置の中間において呼吸回路の有効長を変えることを決定する場合に、その管の寸法を決めて、サイズを変えることを可能にするという利点、を有している。このような呼吸回路の有効長における繰り返しの変更は、その呼吸管がその望まれる有効な静止長の内のいずれかの一つに後で設定できなくなるという恐れを伴うことなく、行なうことができる。
【００３７】
本発明の上記のおよびその他の特徴は、以下において理解されるように、本発明を実施する最良の形態を示している、図面と詳細な説明とを参照することにより、明らかになるであろう。
【００３８】
〔詳細な説明〕
本発明の呼吸回路１０が図面において最良に示されている。図１において、呼吸回路１０は、当該呼吸回路１０の近位端側に配置されている装置側コネクタ１２、を含み、図１において示されている実施形態においては、装置側コネクタ１２とフィルター１４の両方になるという二つの目的を果たしている。なお、装置側コネクタ１２はフィルター１４を含んでいるものとして示されているが、この装置側コネクタ１２は無フィルター型の装置側コネクタ１２を有するように設計することも可能である。
【００３９】
一方、患者側コネクタ１８は、回路１０の遠位端側または患者側に、配置されている。複数の持続可能な静止長を有する柔軟な波形の吸気管が患者側コネクタ１８と装置側コネクタ１２との間に延在しており、矢印Ｉにより概略的に示されているように、装置側コネクタ１２から患者側コネクタ１８に向かって、吸気のガスを運ぶために備えられている。さらに、柔軟な波形の持続可能な多数の静止長の呼気管２６も患者側コネクタ１８と装置側コネクタ１２との間に延在していて、矢印Ｅにより概略的に示されているように、患者側コネクタ１８から装置側コネクタ１２に向かって、患者から呼気のガスを運ぶために備えられている。
【００４０】
吸気管２２および呼気管２６は共に、装置側コネクタ１２に、それぞれの装置側において、固定して連結されている。同様に、これらの吸気管２２および呼気管２６は共に、患者側コネクタ１８に、それぞれの患者側において、固定して連結されている。
【００４１】
以下において、さらに詳細に論じられているように、吸気管２２および呼気管２６は波形であり、矢印Ｂにより示されているような、図１の図面の右側に示されている、伸張されている位置と、矢印Ａにより示されているような、図面の左側に示されている、圧縮されている位置と、の両方を採るように、それぞれ設計されているひだ、を伴っている。先行技術の装置とは異なり、吸気管２２および呼気管２６は静止位置を採ることができ、この場合に、１個以上のひだが、それぞれの圧縮されている位置またはそれぞれの伸張されている位置の中に存在している。これらの圧縮されている位置および伸張されている位置において静止位置を採るためのひだの能力は、呼吸回路の長さが、大多数の異なる静止長のいずれか一つに固定されることを可能にする。また、これらの静止長は、管に外力を及ぼさずに、維持できる。
【００４２】
上述のように、上記の特徴は、単一の静止長だけが採用されている場合の装置とは、異なっている。すなわち、単一のみの静止長の管は、このような先行技術における単一の静止長の波形の管の弾性およびばねの特性が、これらの管を、それぞれの、圧縮されているか伸張されている、状態から、それぞれの静止位置に向けて、移動して戻すために、それぞれの管に応力を及ぼすので、クランプまたはその類似物等のように、相当な外力を及すことなく、（静止長に対して）伸張されているか圧縮されている位置のいずれも維持することができない。
【００４３】
装置側のコネクタ／フィルター１４は、内部を定めているケーシング３８、を含んでいる。このケーシング３８は、上述のフクナガ（Fukunaga）の‘８７２号特許において記載されているような、近位端側の末端部分を取り付けることのできる装置係合端部４０、を含んでおり、この係合端部４０は麻酔装置に連結する。あるいは、この装置係合端部４０は、麻酔装置（図示されていない）が、その装置係合端部４０を受容するための適当な大きさに作られている連結部分またはポート、を含んでいれば、その麻酔装置に直接に連結できる。
【００４４】
また、上記の装置係合端部は、レアグレ（Leagre）の米国特許第６，１２９，０８２号、またはレアグレ（Leagre）およびバロー（Barrow）の米国特許第５，４０４，８７３号において開示されている形態等のような、多様な別の形態も含むことができること、にも注目する必要がある。
【００４５】
装置係合端部４０は、呼気ポート４８を定めるための、第１の概ね円筒形の呼気ポート・コネクタ４６を含んでおり、このコネクタ４６を通して、呼気のガスが呼気ポート４８から麻酔装置の中に通過できる。また、第１の吸気ポート・コネクタ５２は概ね円筒形であり、呼気ポート４８と同軸である。この第１の吸気ポート・コネクタ５２は麻酔装置の流出ポートに連結されるように備えられていて、内部に配置されている吸気ポート５３を定めており、このコネクタ５２を通して、ガスおよび吸い込まれた空気が麻酔装置から吸気ポート５３の中に通過できる。
【００４６】
第１の呼気管コネクタは、装置側コネクタ１２の管係合端部４４に配置されており、呼気管２６の第１（近位側）の端部４７を受容するための、半径方向に外側に向いていて軸線方向に延在している円筒形の表面部分５７、を含んでいる。また、呼気管２６の近位側端部４７の、半径方向に内側に向いていて軸線方向に延在している内表面部は、第１の呼気管コネクタ５６の半径方向に外側に向いている表面５７に、固定して連結および係合している。好ましくは、呼気管２６の第１の端部４７と半径方向に外側に向いている表面５７との間の連結は、これら２個の部材の間の分離を防ぐために、ぴったりと合って永久的になるように、設計されている。このようにぴったりと合った確実に固定された連結は、接着剤の使用により化学的に達成するか、ぴったりと合った嵌め合わせを形成するように寸法決めするか、バンドや音波溶接等のようなその他の取り付けプロトコル等の、一部の機械的な取り付けにより、達成できる。
【００４７】
装置側コネクタ１２の管係合端部４４はまた、第１の吸気管コネクタ５８も含んでおり、この吸気管コネクタ５８は、その概ね円筒形の半径方向に外側に向いている表面部分において、吸気管２２の第１（近位側）の端部５３の半径方向に内側に向いている円筒形の表面部分、を受けるような大きさに作られている。また、上記の吸気管および呼気管のそれぞれの端部５３，４７はそれぞれのコネクタ５８，５６を受容するように寸法決めおよび構成されており、これらの管５８，５６の「カフス」としてしばしば呼ばれる場合がある。
【００４８】
呼気管２６と第１の呼気管コネクタ５６との間の連結と同様に、吸気管２２の第１の吸気管コネクタ５８と第１の端部５３との間の連結は、これらの間の分離を防ぐために、コネクタ５８の上に吸気管２２の第１の端部５３を維持するように設計されている、ぴったりと合った永久的に固定された嵌め合わせである必要がある。さらに、吸気管２２のカフスと、装置側コネクタ１２および患者側コネクタ１８との間の連結は、一般に、比較的に決定的であり、したがって、呼気管のカフスと、装置側コネクタ１２および患者側コネクタ１８との間の連結よりも強くなければ、可能な限り強くになるように設計する必要がある。
【００４９】
なお、吸気管コネクタ５８が、一般に、呼気管コネクタ５６の端部を通過して外側に延出していることに気づくであろう。このような付加的な長さは、製造プロセスを容易にするために設けられており、吸気管２２の第１の端部５３を吸気管コネクタ５８の第１の端部に取り付けることをさらに容易にしている。
【００５０】
回路１０の装置側において吸気および呼気のガスを混合することは一般に望ましくないので、ケーシング３８の中において、呼気の流路７０からの吸気の流路６６の分離を維持することが重要である。この目的のために、ケーシング３８は、呼気の流路７０から吸気の流路６６を分離していて異なるよう維持するように示されている。
【００５１】
上記の機能を達成するフィルター・ケーシングの例は、キング・システムズ・コーポレイション（King Systems Corporation）により販売されていて、www.KingSystems.comにおいて説明されている、ユニバーサルＦ２（UNIVERSAL F２）（登録商標）同軸フィルター(Co-Axial Filter)に加えて、フクナガ（Fukunaga）の‘８９４号特許において示されているもの等のような、フィルターである。
【００５２】
さらに、フィルター媒体７２がケーシング３８の内部に配置されている。このフィルター媒体７２は、フィルター１４を通過する、呼気のガスの全部と吸気のガスの全部とが、このフィルター媒体７２を通過するように、設計されている。また、このフィルター媒体７２は、病原体および他の微生物を捕捉して、これらの病原体や微生物がフィルター媒体７２を通過することを阻止し、患者を発生源とする病原体や微生物による麻酔装置の汚染、あるいは、麻酔装置を発生源とする病原体や微生物による患者の汚染を防ぐように、設計されている。
【００５３】
患者側コネクタ１８は、顔面マスク（図示されていない）、または気管内管（endo-tracheal tube）（図示されていない）等のような気管用管（tracheal tube）を含む、患者用装置を受容するように設計されている患者用装置受容コネクタ７８、を含んでいる。なお、顔面マスクおよび気管用管の例は、上記のwww.KingSystems.comにおいて見ることができる。患者用装置受容コネクタ７８は、内側円筒形コネクタ部材８０と、外側円筒形コネクタ部材８２と、を含み、これらのコネクタ部材８０，８２はわずかな距離だけ空間的に分離されていて、円筒形のスロット８４を形成している。この構成はさまざまな種類の患者用のコネクタ装置を受容するように設計されている。なお、上記の患者用装置受容コネクタ７８の大きさおよび形状は、患者の安全性を確保して規格化を促進するために役立つように実施されているＩＳＯ基準により、広く規定されている。
【００５４】
上記の患者用装置受容コネクタ７８は、内部に配置されているガス受容ポート８６、を定めており、このポート８６を通して、呼気および吸気の両方のガスが呼吸回路１０と患者用の装置との間を通過できる。患者側コネクタ１８はまた、第２（遠位側）の端部の呼気管受容コネクタ８８も含んでおり、このコネクタ８８は概ね円筒形の形態であり、呼気管２６の第２の端部（カフス）８９を受容するような大きさおよび形に作られている。呼気管受容コネクタ８８は概ね円筒形の形態であるが、起立した半径方向に外側に延出している外周スパイク９０を含んでおり、この外周スパイク９０は相補的に形成されている外周スパイク受容リング９１を受けるように設計されており、この受容リング９１は呼気管の第２端部カフス８９の中に形成されている。これらのスパイク９０および受容リング９１は相補的に構成されていて、スパイク９０が受容リング９１に係合して、呼気管の第２端部８９を呼気管受容コネクタ８８の上に係止して固定するために役立つようになっている。
【００５５】
患者側コネクタは図１および図１１〜図１９に関連して最良に説明されている。次に、図１７および図１８において、患者側コネクタ１８の患者用装置受容コネクタ７８の二つの図が示されており、これらの図は患者側コネクタの患者用装置受容部分７８の例示的な実施形態の患者用のコネクタにおける種々の部品、空間および隙間、を示している。
【００５６】
図１１において最良に示されているように、半径方向に外側に延出している外周係止リングが備えられており、この外周係止リングは呼気管受容コネクタ８８の表面の上方に半径方向に外側に延出している。この係止リング９５は呼気管受容コネクタ８８における呼気管コネクタの不必要な軸線方向の移動を阻止するために役立つ。
【００５７】
患者側コネクタ１８の管受容部分はまた、吸気管受容コネクタ９６も含んでおり、この吸気管受容コネクタ９６は、一般に、遠位側端部９８および近位側端部１００を有する円筒形の管、を構成している。この吸気管受容コネクタ９６は、一般に、管状で、円筒形に作られていて、半径方向に内側に向いている表面部分１０２を含んでおり、この表面部分１０２は、その遠位側端部９８において、吸気管受容コネクタ９６の中空の内部通路１０４からの吸気のガスの流出をさらに助長するために、斜めのカットアウト部分１０３まで伸びている。
【００５８】
図１３および図１４において最良に示されているように、吸気管受容コネクタ９６の遠位側端部は、軸線方向に外側に向いていて半径方向に延出している壁部材１０１、の一部として形成されていて、その壁部材１０１に連結されている。このような一体の構成／連結は、吸気管受容コネクタ９６を患者側コネクタ１８の残りの部分に、固定して連結している。
【００５９】
図１４に示されている寸法から、吸気管受容コネクタ９６は患者側コネクタ１８の中心から半径方向にずれていることに、当然に気づくであろう。すなわち、図１４において示されているように、吸気管受容コネクタ９６の中心は、患者側コネクタ１８の中心軸から、好ましくは、概ね約０．２〜０．３ｃｍ（約０．０８〜０．１２インチ）だけずれており、最適には、約０．２７ｃｍ（約０．１０６インチ）だけずれている。このような吸気管受容コネクタ９６のずれた連結は、吸気管２２の第２の端部１１０を、患者側コネクタ１８の近くの領域内において呼気管２６に対して概ね非同軸にしているが、この吸気管２２は、概ね同軸の関係で、呼気管２６の内部に依然として収容されている。
【００６０】
本出願人は、上記のずれた連結が、図面において示されている種類の患者側コネクタ１８と共に用いられる場合に、価値があることが分かっており、この理由は、このような連結が、より開けていて、より抵抗を少なくする呼気の流路を、この呼気の流路が吸気管受容コネクタ９６の近くにおいて始まっている領域１０７（図１４）の中に、与えるからである。また、このようなずれた構成は、比較的に従来の中心に置かれている構成よりも、良好な流れの特性を示すことが分かっている。
【００６１】
吸気管受容コネクタ９６は、半径方向に内側に向いている表面部分１０２、を含んでおり、この表面部分１０２は中空の内部通路１０４を定めており、この内部通路１０４は呼吸回路１０の吸気管通路の遠位側に最も遠い端部を構成している。半径方向に外側に向いている表面部分１０６は吸気管の第２（遠位側）の端部１１０の半径方向に内側に向いている表面部分１０８により受容されるように設けられている。呼気管に関連して論じられているように、吸気管の第２の端部（カフス）１１０における半径方向に内側に向いている表面部分１０８と吸気管受容コネクタ９６の半径方向に外側に向いている表面部分１０６との間の連結は、極めてぴったりと合っていて、極めて確実であり、さらに、その吸気管の第２の端部１１０と吸気管受容コネクタ９６との間に分離が生じないことを確実にするために、実質的に永久的に固定された連結、である必要がある。
【００６２】
上記の装置側および患者側のコネクタからの吸気管の分離の阻止に役立つためのさらに別の手段として、吸気管は呼気管よりもいくらか長くなるような大きさに作られているのが好ましい。好ましくは、この吸気管は、標準の１１２〜２２４ｃｍ（４４〜８８インチ）の上述の種類の管において、呼気管よりも２．５４〜１７．８ｃｍ（１〜７インチ）だけ長くする必要がある。最適には、吸気管２２の完全に伸張された長さは、呼気管２６の完全に伸張された長さよりも、およそ１０．２ｃｍ（４インチ）だけ長い。
【００６３】
上記のような付加的な長さは、呼気管２６がその最も完全に伸張された位置まで引っ張られる時に、吸気管２２が依然として伸びる余裕を持っていること、を確実にすることにより、分離を阻止するために役立つ。さらに、この付加的な伸びる余裕は、吸気管に分離を誘発させる応力が加わることを防ぐために役立ち、これにより患者側または装置側のコネクタのいずれからの吸気管２２の分離の可能性も減少させることができる。
【００６４】
なお、患者側コネクタ１８の種々の部品および構成要素の間の寸法の関係をさらに良く認識するために、図１１〜図１９について参照されたい（これらの図はインチで表現されている）。
【００６５】
次に、図１〜図９、および図２７および図２８を参照して、吸気管２２および呼気管２６をさらに詳細に説明する。
【００６６】
上述のように、吸気管および呼気管は、それぞれ、つぶすことのできる、複数の静止長を有する波型の管であるので、それぞれの吸気管および呼気管は、完全に圧縮された位置から、完全に伸張された位置まで、移動できる。重要なことは、これらの吸気管および呼気管は、それぞれの完全に伸張された位置と完全に圧縮された位置との間で、複数の長さにおいて、維持可能な静止長を達成するために、選択的に伸張して圧縮することができる。
【００６７】
図２７において、第１の呼吸回路１１４、第２の呼吸回路１１６および第３の呼吸回路１１８、を含む、３種類の呼吸回路が示されている。これらの装置は、それぞれ、同等の長さの吸気管および呼気管を有しているが、これらの合計の全体の長さは、それぞれの異なる圧縮の状態により、異なっている。なお、これら３種類の呼吸回路１１４，１１６，１１８が、患者側コネクタ１１５と、装置側コネクタ１１３，１１７と、を含んでいることに気づくであろう。この点に関して、第２および第３の呼吸回路１１６および１１８の装置側コネクタ１１３は、図１において示されているフィルター１４に類似しているフィルター、を有しているが、第１の呼吸回路における装置側コネクタ１１７は非フィルター支持式の装置側部分を有している。
【００６８】
これらの装置側部分１１３，１１７の間に違いにもかかわらず、吸気管および呼気管は同一の長さを有するように概ね構成されている。第１の呼吸回路１１４は、そのほとんど完全に圧縮された位置において、概略的に示されている。このようなほとんど完全に圧縮された位置にある時に、この第１の呼吸回路の長さ１１４Ｌは第２の呼吸回路１１６の長さ１１６Ｌよりも著しく短い。さらに、この第２の呼吸回路の長さ１１６Ｌは第３の呼吸回路の長さ１１８Ｌよりも著しく短い。
【００６９】
第３の呼吸回路は、そのひだのほとんどが全てそれぞれの伸張された位置にある状態により生じる、比較的に長い長さ１１８Ｌ、を有している。これに対して、第１の呼吸回路１１４Ｌにより達成されている比較的に短い長さは、吸気管および呼気管のひだのほとんどが圧縮された位置にある状態により生じている。さらに、第２の呼吸回路の中間域の長さ１１６Ｌは、最も短い呼吸回路１１４に比較した場合における、第２の呼吸回路１１６の比較的に大きな割合のひだがそれぞれの伸張された位置にある状態と、さらに、短縮された呼吸回路１１４に比較した場合における、第２の呼吸回路１１６の比較的に小さな割合のひだがそれぞれの圧縮された位置にある状態と、により達成されている。
【００７０】
図２７の目的は、本発明の呼吸回路が、大多数のひだがそれぞれの圧縮された位置に配置されている状態により達成されている第１の呼吸回路１１４の比較的に短い位置から、ほとんど全てのひだがそれぞれの伸張された位置に配置されている、第３の呼吸回路１１８の比較的に長い長さまで変わる、多数の静止位置において維持可能であること、を示すことである。
【００７１】
好ましくは、上記の装置は、その完全に圧縮された位置と完全に伸張された位置との間の長さの差が、３よりも大きい係数、好ましくは４、だけ、変化できるように、設計されているので、この呼吸回路がその完全に伸張された位置にある時に、その完全に圧縮された位置にある時のその呼吸回路の長さよりも、およそ３〜４倍だけ長くなる。
【００７２】
次に、図２〜図４に戻り、吸気管２２および呼気管２６のそれぞれは、ひだ１２０，１２２等のような、複数の概ね同一のひだにより構成されている。便宜上、一つのひだは、隣接している最下点１２６の間に延在している管の部分として、本出願において示されている。これらのひだのそれぞれは、ピーク点１２４と、ピーク点１２４の一方の側に配置されている第１の足部１２８と、ピーク点１２４の別の側に配置されている第２の足部１３０と、を有している。これらの第１および第２の足部は、それぞれ、最下点１２６まで伸びており、本出願における定義の目的においては、単一のひだ、またはひだの部分を定めている。
【００７３】
次に、図６〜図８において、金型ブロック１５０が、図示されているような波形の呼気管を作成するために、用いられている。この管を作成する方法は、一般に、その管がまず押出成形されてから、波形にされることを示すために、押出ひだ成形法として呼ばれている。
【００７４】
呼気管は、最も好ましいと考えられる実施形態において、およそ２５ｍｍの一定の直径を有する概ね平滑な管を最初に押出成形することにより製造される。この結果、平滑な管が押出成形装置から抜け出ると、その管は、一般に、一定の直径の、平滑な壁部、を有する。さらに、この押出成形装置から抜け出たすぐ後に、そのプラスチック材料がその成形温度よりも低く冷却される前に、金型ブロック１５０等のような、一連のひだの形状を含む金型ブロックを、上記の呼気管の外表面部に係合させることにより、その呼気管にひだを形成する。この工程の間に、高圧の空気が呼気管の内部に押し込められて、その呼気管の平滑な壁部を、波形の金型ブロックに対して、半径方向に外側に押し出す。例示的な波形の金型ブロック１５０が図面において示されており、管がその金型ブロックの形状に概ね一致するので、それぞれのひだが形成される様式を理解するために有用である。
【００７５】
金型ブロック１５０を考慮する際に、これらの金型ブロックは管の外表面部に係合していることを覚えておくことが重要である。したがって、この金型ブロックの最下点になると思われる点（例えば、図７の点２２４）は、この点２２４が仕上げされた呼気管のピーク点１２４の形状を定めるので、実際にはピーク点２２４になる。同様に、この金型ブロック（図７）の最下点２２６は、仕上げされた呼気管の最下点１２６の形状、を定める。また、第１の足部２２８は呼気管の第１の足部１２８を定め、第２の足部２３０は呼気管の第２の足部１３０を定める（図４）。
【００７６】
図７において最良に示されているように、金型ブロック１５０の最下点２２６は、呼気管のまるみのある最下点１３０を形成するために、まるみが付けられている。また、するどい角部２３１が連結部分に配置されており、この場所において、最下点２２６は第１の足部２２８に接合する。
【００７７】
本明細書において記載されている呼気管の構成および形状は、この呼気管に、そのつぶれる能力と、その伸張された位置と圧縮された位置との間において静止長を維持するその能力と、を与えるために役立っている。この点に関して、最下点２２６において成形ブロックにより形成される丸みを付けた最下点は、その管に、圧縮された位置と伸張された位置との間で移動する時に、複数の微視的な割れ目を含ませる。これらの、呼気管のプラスチック材料における、微視的な割れ目は、要望に応じて、それぞれの伸張された、さらに／または、圧縮された、位置において、ひだを維持するために役立つ。使用時に、それぞれのひだ、例えば、１２０，１２２（図４）は、一般に、二つの静止位置を維持でき、これらの静止位置の一方は完全に伸張された位置になり、他方は完全に圧縮された位置になる。一般論として、個々のひだは、それぞれの圧縮された位置と伸張された位置との間の各点において、静止位置を維持することはない。
【００７８】
一方、全体的なスケールにおける２個のひだを考慮すると、上記の管により達成できる複数の静止位置は、主として、それぞれの伸張された位置と圧縮された位置とに配置されている特定の個々のひだの数の関数になる。例えば、上記の管が完全に伸ばされている時に、ひだの大部分（全てではないかもしれないが）、例えば、１２０，１２２、はそれぞれの伸張されている位置に配置されている。一方、その管が完全に圧縮された位置にある時には、ひだの大部分（全てではないかもしれないが）、例えば、１２０，１２２、はそれぞれの圧縮されている位置に配置されている。
【００７９】
さらに、上記の管がその完全に圧縮された位置と完全に伸張された位置との間の中間の長さである場合には、個々のひだ、例えば、１２０，１２２、の一部はそれぞれの伸張されている位置に配置されており、他のひだはそれぞれの比較的に圧縮されている位置に配置されている。
【００８０】
図２７および図２１において最良に示されているように、管のセグメントのある部分が圧縮された位置に配置されている時に、それぞれの異なる第１および第２の足部１２８，１３０は互いにほとんど平行に配置されている。一方、それぞれの伸張された位置に配置されている、セグメント１５２等のような、任意のひだのセグメントにおいては、第１および第２の足部１２８，１３０は互いにおよそ９０度の角度で配置されている。
【００８１】
この点に関して、読者は特に図８を注意されたく、この図は、伸張されている位置にある時に、管の第１の足部１２８を形成する金型の第１の足部２２８は、呼気管の軸線に対して概ね垂直に延在する平面から、約４０．１度の角度で配置されていること、を示している。同様に、呼気管の第２の足部１３０を形成する金型の第２の足部２３０は、呼気管の軸線に対して垂直に配置される平面に対して、約４６．６度の角度で、配置されている。また、圧縮性の制御も、金型ブロックの第１の足部２２８および第２の足部２３０、したがって、仕上げされた呼気管の第１の足部１２８および第２の足部１３０、が、呼気管２６の軸線に対して垂直の上述されている仮定の平面に対して、それぞれ、異なる角度で配置されているという事実により、助長される。
【００８２】
一方、吸気管は、ひだ１３１，１３２等のような、複数の個々のひだ、を含む限りにおいて、呼気管２６と概ね同様に構成されているものとして、図４において最良に示されている。それぞれのひだ１３１，１３２は、ピーク部分１４０と、最下部分１３８と、第１の足部１４６と、第２の足部１４８と、を含んでおり、これらの足部１４６および１４８はピーク部分１４０と最下部分１３８との間に延在している。また、呼気管２６と同様に、吸気管２２の第１および第２の足部１４６，１４８は同一ではなく、むしろ、わずかに異なっている。吸気管２２はまた、呼気管２６と同様に、押出成形、および、その後のひだをつける処理、により、形成される。吸気管２２を製造するために使用可能であると考えられる種類の、例示的な金型ブロックが、図９および図１０において最良に示されている。
【００８３】
吸気管のために用いられる金型ブロック１６１を考慮すると、この金型ブロック１６１は吸気管２２の外表面部に係合し、これにより、ピーク点１４０を形成するそのブロック１６１の各部分は最下点２３８として見えるが、本明細書においては、ピーク点２３８と呼ばれていること、を覚えておくことが重要である。同様に、ピーク点として見える各点２８８は、実際には最下点１３８を形成しており、さらに、この金型ブロックにおいて最下点として見える各点は、実際にはピーク点２４０になり、これらの点は吸気管の各ピーク点１４０を形成している。
【００８４】
金型ブロック１６１の全体的な形状、およびこれにより形成される吸気管は、最下点２３８が、概して、丸みを付けられており、最下点２３８と第１の足部２４４との交点において鋭い角部２３９を形成していて、この角部２３９が吸気管において対応する位置に鋭い角部を形成する点において、上記の金型ブロック１５０および呼気管２６に概ね類似している。
【００８５】
なお、第２の足部２４６の角度および第１の足部２４４の角度が呼気管２６の中において用いられている角度とはわずかに異なっていることに、注意する必要がある。すなわち、第２の足部２４６は吸気管２２の軸線に対して垂直に配置される平面から、約４９．６度の角度で、配置されていることが最も良く、第１の足部は吸気管２２の軸に対して概ね垂直に配置される平面から、約４０．１度の角度で、配置されていること、が分かっている。また、吸気管内の第１および第２の足部２４４，２４６の間の、ピーク点において形成される角度は、呼気管２６の中において用いられている角度よりも大きい。これらの違いは本出願人による相当数の実験の後に想到されており、吸気管２２と呼気管２６との間の大きさの違いにより大きく異なる。
【００８６】
上述のように、吸気管２２と呼気管２６との間の相対的な寸法を決めることは、本出願人にとって、達成することが、困難な技術課題であることを立証している。しかしながら、適当な寸法を達成するためには、本出願人は、図面において最下点１３０として示されている、呼気管の半径方向において最も内側の点と、図面においてピーク点１４０として示されている、吸気管２２の半径方向において最も外側の点との間における呼気の通路３４が十分になることを確実にすることにより、その呼気の通路３４が十分に大きくなって、呼気のガスが最小限の抵抗を伴ってその通路３４を通して流れることを可能にすることが重要である、と考えている。この点に関して、呼吸回路の流れの抵抗は、６０Ｌ／分の流れにおいて、その回路を通過する圧力降下が５ｃｍ以下の水(no more than 5 cm of water)になるように、する必要がある。一方、寸法の差を過度に大きくする必要はなく、この理由は、吸気管２２の外表面部と呼気管２６の内表面部との間の隙間が過度に大きくなると、吸気管２２の伸縮が困難になるからである。
【００８７】
図３において示されているように、本出願人は、約０．６８ｃｍ（約０．２６９インチ）の幅を有するドーナッツ形状の呼気の通路を形成するために、吸気管２２のための最適な最大の外径寸法は２．０５ｃｍ（０．８０７インチ）であり、呼気管２６の最小限の内径の最適な最小限の内径寸法は２．７３ｃｍ（１．０７６インチ）であることが分かっている。もちろん、それぞれの管２２，２６の柔軟な性質が、これらの吸気管２２および呼気管２６の長さに沿ってこれらの吸気管および呼気管の相対的な位置を変えるので、上記の０．６８ｃｍ（０．２６９インチ）の直径が、吸気管２２および呼気管２６の全長に沿って、常に、全ての場所において、維持されるとは限らないということが認められるであろう。それでも、上記の隙間は呼気管２６と吸気管２２との間における平均の隙間の距離を表現している。
【００８８】
以下において認められるように、呼気管および吸気管の随意的な寸法を決めることを考慮する別の方法は、吸気（内側）管の平均の外径（「ＭＯＤＩＴ」）（この場合に、２．０５ｃｍ（０．８０７インチ））の、呼気（外側）管の平均の内径（「ＭＩＤＥＴ」）（この場合に、２．７３ｃｍ（１．０７６インチ））に対する、比率を約０．７５にすることである。なお、この約０．７５のＭＯＤＩＴ／ＭＩＤＥＴの比率は最適であるが、本出願人は約０．６５〜０．８５の範囲内のＭＯＤＩＴ／ＭＩＤＥＴの比率も、一般に、許容可能に使えることが分かっている。
【００８９】
また、上記のＭＩＤＥＴとＭＯＤＩＴとの間の差は約０．６９ｃｍ（約０．２７インチ）であるのが最適であり、約０．６３〜０．７４ｃｍ（約０．２５〜０．２９インチ）の範囲内であることが好ましいと考えられることも気づくであろう。また、さらに好ましい範囲は約０．６６〜０．７２ｃｍ（約０．２６〜０．２８インチ）であると考えられる。
【００９０】
別の実施形態の患者側コネクタ３００が図２２〜図２６において示されている。この患者側コネクタ３００は、患者用装置受容部分３０２と、管受容部分３０４と、を備えている。この患者用装置受容部分は図１１において示されている最初の実施形態の患者側コネクタ１８における患者用装置受容部分と概ね同様に構成されており、内側円筒形コネクタ部材３０８と、外側円筒形コネクタ部材３１０とを含んでおり、これらの部材３０８，３１０は、これらの間に、円筒形のスロット３１２を定める距離だけ分離されている。また、ガス受容ポート３１４が、内部の円筒形のコネクタ部材３０８の半径方向に内側に向いている表面部分により定められている。
【００９１】
上記の管受容部分３０４は、呼気管２６の半径方向に内側に向いている表面部分３１８（図２５）により、ぴったり合って固定されて受容されるための、半径方向に外側に向いている表面部分３１６、を含んでいる。さらに、半径方向に外側に延出している外周スパイク３２０が、上記の半径方向に外側に向いている表面部分３１６に形成されていて、呼気管２６を患者側コネクタ３００の上にぴったりと固定して保持するために、呼気管２６の受容リング３２１に嵌まり合うように、寸法決めおよび位置決めされている。
【００９２】
吸気管受容コネクタ３２４も備えられている。この吸気管受容コネクタ３２４は、図１１において示されている患者側コネクタ１８の対応している吸気管受容コネクタとは、いくらか異なって構成されている。一例の主な違いは、患者側コネクタ３００の吸気管受容コネクタ３２４はその患者側コネクタ３００の残りの部分に対して相対的に同軸に配置されていること、である。
【００９３】
吸気管受容コネクタ３２４は、患者側コネクタ３００の患者用装置受容部分３０２に対して、一体に形成されていて、取り付けられている、遠位側端部３２６、を含んでいる。吸気管受容コネクタ３２４はまた、比較的に大きな直径の、半径方向に外側に延出している端部リップ３２９、を含むことのできる近位側端部３２８、も有している。スパイク３２０と同様に、リップ３２９は吸気管コネクタ３２４の上に吸気管を固定して保持するために役立つ。さらに、吸気管受容コネクタ３２４は、吸気管２２の遠位側端部３３１の半径方向に内側に向いている表面部分３３３により、ぴったり係合して、受容されるための、半径方向に外側に向いている表面部分３３０、を含んでいる。この吸気管コネクタ部分はまた、吸気ガス通路３３４を定めている半径方向に内側に向いている表面部分３３２、も含んでいる。
【００９４】
上記の患者側コネクタ３００と患者側コネクタ１８（図１１）との間の重要な違いは、吸気管コネクタ３２４の遠位側端部３２６に隣接して配置されている孔３３６の存在である。これらの孔３３６は、ガス・ポート通路３１４と呼気通路３３４との間に、ガスが流れることを可能にしている。主に、これらの孔３３６を通って移動するガスは、吐き出されている呼気のガスを含む。このガスは、矢印Ｊにより概略的に示されている方向に、患者側コネクタの中を移動してから、矢印Ｋ（図２５）に沿って外側に移動し、呼気ガス通路３４の中に入り、最終的に麻酔装置に戻る。また、これらの孔３３６は、各図面において示されているように、これらの孔３３６を通り呼気ガス通路３３４の中に入る呼気のガスの比較的に小さい抵抗の流れに適合するような、大きさに作る必要がある。
【００９５】
別の実施形態の呼吸回路４００が図３０において示されている。この呼吸回路４００は、ユニバーサル・エフ２（UNIVERSAL F2）（登録商標）型の呼吸回路等のように、呼吸回路の有効長を伸張するように使用できる種類の延長型呼吸回路、を構成している。
【００９６】
例えば、この延長型呼吸回路４００は、図１において示されている呼吸回路１０に関連して使用可能であり、これら２個の呼吸回路は端部対端部式の関係で配置された状態になり、この場合に、延長型呼吸回路４００におけるオス形（患者側）のコネクタ４０６は呼吸回路１０におけるメス形のコネクタ４０に連結される。この延長型呼吸回路４００は、空間やその他の考慮点が、製造者により製造されているか病院により保管されている、呼吸回路１０の長さ（完全に伸張されている場合でも）よりも長い呼吸回路、を必要とする状況において、有用である。
【００９７】
この延長型呼吸回路４００は、呼吸回路１０に連結されているオス形（患者端側）コネクタ４０６と、それ自体で麻酔装置に連結される近位側端部の患者側（遠位端側）を受容するように設計されているメス形（装置端側）のコネクタ４０８と、を含んでいる可変の静止長の呼吸回路、を構成している。すなわち、この呼吸回路４００は、この回路を貫通している呼気通路４１１を定めている可変の静止長の呼気管４１０と、内部に吸気通路４１４を定めている可変の静止長の吸気管４１２と、を含んでいる。
【００９８】
構造および構成において、上記の呼気管４１０および吸気管４１２は、図１における実施形態に関連して示されている呼気管２６および吸気管２２に、それぞれ、概ね類似している。これらの吸気管４１２および呼気管４１０は共に可変の静止長を有するように構成されているので、回路４００の全体の静止長も、図３０の右側において示されているような、比較的に圧縮されている位置から、図３０の左側において示されているような、比較的に伸張されている位置まで、可変である。また、呼気管４１０および吸気管４１２の内径および外径の相対的な大きさ、および、これらの呼気管４１０および吸気管４１２の寸法決めおよび構成において採用される考慮点も、それぞれ、図１において示されている呼吸回路１０に関連して上述されているのと同じ考慮点、寸法決めおよび構成と、概ね同様である。
【００９９】
メス形（装置側）コネクタ４０８は呼気ポート・カップラー４１６および吸気ポート・カップラー４１７を含んでおり、これらのカップラー４１６，４１７はこれらの間に呼気通路４１８を定めている。一方、吸気管４１２の吸気通路４１４に流体を介して連通している吸気通路４２０は、吸気ポート・カップラー４１７の内部により定められている。同様に、呼気通路４１８は呼気ポート・カップラー４１６に流体を介して連通している。
【０１００】
呼気ポート・カップラー４１６は比較的に拡大された直径の近位側端部の呼気ポート受容部分を含んでおり、この呼気ポート受容部分は、フクナガ（Fukunaga）の米国特許第５，７７８，８７２号において記載されている種類の、近位側端部における呼気ポート連結部分、を内部に受容するように、寸法決めおよび構成されている。この呼気ポート・カップラー４１６はまた、呼気管４１０の装置側に配置されているカフス４３０を外部において受けるための、比較的に減少された直径の呼気管受容部分４２８、も含んでいる。上記のオス形（患者側）コネクタ４０６は、図１において示されている呼吸回路１０等のような、呼吸回路の装置端側カップラーに連結されるように、寸法決めおよび構成されている。
【０１０１】
上記の患者端側または遠位側のコネクタ４０６は、回路１０の遠位端側により内部において受容されるための回路係合部分４４４と、比較的に減少された直径の呼気受容部分４４６と、を有している呼気ポート・カップラー４４２、を含んでおり、上記の呼気受容部分４４６は、呼気管４１０の遠位端側カフス４４８により受容されるように、寸法決めおよび構成されている。吸気ポート・コネクタ４５０は回路係合部分４５２を含んでおり、この回路係合部分４５２は回路１０の吸気管コネクタの中に受容されるように設計されている。この吸気ポート・コネクタ４５０も吸気管受容部分４５４を含んでおり、この吸気管受容部分４５４は、吸気管４１２の遠位側端部に配置されているカフス４５５を受容するように、設計されている。
【０１０２】
上記の呼気ポート・カップラー４４２と吸気ポート・カップラー４５０との間に、これらのカップラーの呼気通路４５６が定められており、呼気通路４１１に対して流体を介して連通している。同様に、吸気通路４５８が吸気ポート・カップラー４５０の内部により定められていて、吸気管４１２の吸気通路４１４に対して流体を介して連通している。
【０１０３】
上述の別の回路と同様に、回路４００は、圧縮された位置と伸張された位置との間において、移動可能であり、吸気管４１０および呼気管４１２の、可変の静止長を有する性能により、多様な異なる静止長のいずれかを採ることができる。この場合に、回路４００の吸気管４１２の両端部４３８，４５５は、好ましくは、それぞれの呼気カップラー４０８，４０６の中において中心に置かれていることに注目するべきである。すなわち、図１の回路１０の患者側に関連して示されている構成等のような、半径方向にずれている取り付けは必要とされていない。むしろ、吸気管は、その両方の近位側端部（proximal terminal）と回路１０の近位側の端部(proximal end)との嵌め合わせを容易にするために、中心に置かれている必要がある。
【０１０４】
図３１は第２の別の実施形態の呼吸回路５００を示しており、この呼吸回路５００は、レアグレ（Leagre）およびバロー（Barrow）の米国特許第５，４０４，８７３号において開示されている呼吸回路の装置側部分と概ね類似している装置側部分５０２と、本発明における、図１において示されている患者側部分１８に概ね類似している患者側部分５０４と、を含んでいる。これらの装置側部分５０２および患者側部分５０４は、本発明の、可変の静止長の呼気管５０８と可変の静止長の吸気管５１０と共に、使用される。
【０１０５】
呼気管５０８および吸気管５１０は、図１において示されている呼気管２６および吸気管２２と、それぞれ、概ね同様に構成されている。これらの呼気管５０８および吸気管５１０は共に、複数のプリーツを含むアコーデオン型の管を構成しており、この場合に、それぞれのプリーツは、伸張された位置（装置側部分５０２の近くにおいて示されているような位置）と、圧縮された位置（患者側部分５０４の近くのような位置）との間において、移動可能である。
【０１０６】
装置側部分５０２は、吸気コネクタ５２０と呼気コネクタ５２２とを有するケーシング５１８、を含んでいる。この吸気コネクタ５２０は拡大された直径の装置受容コネクタ部材５２６を含んでおり、この装置受容コネクタ部材５２６は、麻酔装置の適当なポートまたは二酸化炭素吸収装置等のような麻酔装置に対する付属部品に連結されるように、寸法決めおよび構成されている。吸気コネクタ５２０はまた、吸気管５１０のカフス５３０を外部において受けるように寸法決めおよび構成されている、減少された直径の吸気管受容部分５２８、も含んでいる。この吸気コネクタ５２０は、吸気管５１０の吸気通路５１４に対して、そのコネクタ５２０の外部において連結する吸気通路５３２、を定めている。
【０１０７】
呼気ポート・コネクタ５２２は、吸気コネクタ５２０から分離していて、当該吸気コネクタ５２０の軸線に対して概ね非同軸であるように、示されている。この呼気ポート・コネクタ５２２は、ホースに連結されるように寸法決めおよび構成されているホース受容部分５３６により定められている呼気ポート５３５、を含んでおり、このホースは、麻酔装置における適当なポートに、呼気ポート５３５を、流体を介して連結している。この呼気ポートを麻酔装置に連結している管（図示されていない）は、好ましくは、麻酔装置における適当なポートに容易に連結可能になるように、十分な長さを有していて、十分に柔軟である。なお、上記のコネクタが吸気および呼気の流路を分離した状態に維持するように設計されていることに気づくであろうし、このことはレアグレ（Leagre）の‘８７３号特許においてさらに詳細に論じられている。
【０１０８】
患者側コネクタ５０４は、上述のように、図１において示されている患者側コネクタ１８と、概ね同様であり、気管内管または顔面マスク等のような、患者用装置が連結可能である患者用装置受容コネクタ５４８、を含んでいる。この患者用装置受容コネクタ５４８は、顔面マスクを適当に受容するための、内側円筒形コネクタ５５０と、外側円筒形コネクタ５５２と、を含んでいる。呼気管受容部分５５４は、呼気管５０８の遠位端側カフス５５６を外部において受けるように、寸法決めおよび構成されている。さらに、患者用装置受容コネクタ５４８はガス・ポート５５５を定めており、このガス・ポート５５５を通して、吸気および呼気の両方のガスが流れる。
【０１０９】
半径方向にずれている吸気管の末端部分５５８は、図１の吸気管コネクタ９６と、ほとんど同じ様式で、同じ理由により、中心から半径方向にずれている。この半径方向にずれている吸気管の末端部分５５８は、吸気管５１０の遠位端側に配置されているカフス５６０を外部において受けるように寸法決めおよび構成されている、近位側に配置された部分、を含んでいる。この吸気管の末端部分の半径方向にずれている状態は、吸気管５１０および呼気管５０８がそれぞれの伸張されている位置にある時と、これらがそれぞれの緩和されている位置にある時の両方において、患者により吐き出される呼気のガスが呼気通路５１２の中に入ることを可能にするために、患者側コネクタ５４８の近くの領域内に、比較的に開けた、比較的に低い抵抗性を有する通路、を与えている。
【０１１０】
本発明を、その好ましい実施形態に関連して、詳細に説明したが、上記の本発明が本明細書における記述により限定されず、むしろ、本明細書に添付されている特許請求の範囲の各請求項によってのみ限定されることが理解されるであろう。
【０１１１】
〔実施の態様〕
（１）単肢型呼吸回路において、
近位端側連結部材と、
遠位端側連結部材と、
波形の呼気管であって、前記近位端側連結部材に連結されている第１の端部、および前記遠位端側連結部材に連結されている第２の端部を有し、完全に圧縮された静止位置と完全に伸張された静止位置との間で伸縮可能であり、複数の中間の静止位置を有していて、外力を行使しなくても、その静止長を維持することができる、呼気管と、
吸気管であって、前記近位端側連結部材に連結されている第１の端部、および前記遠位端側連結部材に連結されている第２の端部を有し、完全に圧縮された位置と完全に伸張された位置との間で伸縮可能であり、複数の中間の静止位置を有していて、外力を行使しなくても、その静止長を維持することができる、吸気管と、
を備えており、
前記吸気管の長さは、前記呼気管の長さよりも長い、単肢型呼吸回路。
（２）実施態様１に記載の単肢型呼吸回路において、
前記吸気管および前記呼気管の各々が完全に伸張された位置にある時に、前記吸気管の長さは、２．５〜１７．８ｃｍ（１〜７インチ）の間にある、単肢型呼吸回路。
（３）実施態様１に記載の単肢型呼吸回路において、
前記吸気管の長さは、前記呼気管の長さよりも、７．６２〜１２．７ｃｍ（３〜５インチ）だけ長い、単肢型呼吸回路。
（４）単肢型呼吸回路において、
軸線を有する近位端側連結部材と、
軸線を有する遠位端側連結部材と、
波形の呼気管であって、前記近位端側連結部材に連結されている第１の端部、および前記遠位端側連結部材に連結されている第２の端部を有し、完全に圧縮された静止位置と完全に伸張された静止位置との間で伸縮可能であり、複数の中間の静止位置を有していて、外力を行使しなくても、その静止長を維持することができる、呼気管と、
吸気管であって、前記近位端側連結部材に連結されている第１の端部、および前記遠位端側連結部材に連結されている第２の端部を有し、完全に圧縮された位置と完全に伸張された位置との間で伸縮可能であり、複数の中間の静止位置を有していて、外力を行使しなくても、その静止長を維持することができる、吸気管と、
を備えており、
前記遠位端側連結部材は、前記吸気管を受容するための軸線を含む末端部分を含み、当該末端部分の軸線は、前記遠位端側連結部材の軸線から半径方向にずれている、
単肢型呼吸回路。
（５）単肢型呼吸回路において、
近位端側連結部材と、
遠位端側連結部材と、
波形の呼気管であって、前記近位端側連結部材に連結されている第１の端部、前記遠位端側連結部材に連結されている第２の端部、内径、および外径を有し、完全に圧縮された静止位置と完全に伸張された静止位置との間で伸縮可能であり、複数の中間の静止位置を有していて、外力を行使しなくても、その静止長を維持することができる、波形の呼気管と、
吸気管であって、前記近位端側連結部材に連結されている第１の端部、前記遠位端側連結部材に連結されている第２の端部、内径、および外径を有し、完全に圧縮された位置と完全に伸張された位置との間で伸縮可能であり、複数の中間の静止位置を有していて、外力を行使しなくても、その静止長を維持することができる、吸気管と、
を備えており、
前記呼気管の内径に対する前記吸気管の外径の比率は、前記吸気管と前記呼気管との間の流れの抵抗を最小限にし、前記吸気管および前記呼気管の概ね線形の圧縮性および伸縮性を助長するような大きさに決められている、
単肢型呼吸回路。
【０１１２】
（６）実施態様５に記載の単肢型呼吸回路において、
前記呼吸回路の流れの抵抗は、６０Ｌ／分の流れにおいて、前記回路を通過する圧力降下が５ｃｍの水以下である、単肢型呼吸回路。
（７）実施態様５に記載の単肢型呼吸回路において、
前記呼気管の内径に対する前記吸気管の外径の比率は、０．６５〜０．８５である、単肢型呼吸回路。
（８）実施態様７に記載の単肢型呼吸回路において、
前記呼気管の内径に対する前記吸気管の外径の比率は、０．７０〜０．８０である、単肢型呼吸回路。
（９）実施態様５に記載の単肢型呼吸回路において、
前記呼気管の内径に対する前記吸気管の外径の比率は、ほぼ０．７５である、単肢型呼吸回路。
（１０）実施態様７に記載の単肢型呼吸回路において、
前記吸気管の外径と前記呼気管の内径との間の大きさの違いは、０．６３〜０．７４ｃｍ（０．２５〜０．２９インチ）の間にある、単肢型呼吸回路。
【図面の簡単な説明】
【０１１３】
【図１】本発明の側断面図であり、伸張されている形態における、本発明の呼吸回路の一部分と、圧縮されている形態における、本発明の別の部分と、を示している。
【図２】本発明の、吸気管および呼気管の一部分の、断面の斜視図である。
【図３】端部の連結部分が除去されている、本発明の、吸気管および呼気管の、端面図である。
【図４】図３の線４−４に概ね沿う断面図である。
【図５】本発明の呼気管が製造される様式を例示するための、２個の連結されている、本発明の呼気管の、平面図である。
【図６】本発明の呼気管を構成するために用いられる金型ブロックの呼気管係合面の平面図である。
【図７】図６の金型ブロックの呼気管係合面の大幅に拡大されている部分図である。
【図８】本発明の呼吸回路における呼気管を製造するために用いられる金型ブロックの呼気管係合面の（図６に対して）拡大図である。
【図９】本発明の吸気管の製造において用いられる金型ブロックの平面図であり、この金型の吸気管係合面を示している。
【図１０】本発明の吸気管を作成するために用いられる金型ブロックの吸気管係合面の一部分の大幅に拡大されている図である。
【図１１】本発明の呼吸回路の患者側コネクタの斜視図である。
【図１２】本発明の患者側コネクタの上面図である。
【図１３】本発明の患者側コネクタの側面図であり、内側の表面を仮想線で示している。
【図１４】図１２の線１４−１４に概ね沿う断面図である。
【図１５】図１３の線１５−１５に概ね沿う断面図である。
【図１６】図１３の線１６−１６に概ね沿う断面図である。
【図１７】本発明の患者側コネクタのマスク／気管内管の連結器の大幅に拡大されている部分破断図である。
【図１８】本発明の患者側コネクタの患者側の端面図である。
【図１９】本発明の患者側コネクタの吸気管および呼気管の受容部分の大幅に拡大されている断面図である。
【図２０】本発明の患者側コネクタの端面図であり、患者側コネクタの管受容端部から見た図を概略的に示している。
【図２１】患者側コネクタの呼気管把持用スパイクの寸法決めを示している、概略図である。
【図２２】本発明の別の実施形態の患者側コネクタの斜視図である。
【図２３】図２２において示されている患者側コネクタの管受容部分から示されている場合の、本発明の患者側コネクタの端面図である。
【図２４】別の実施形態の患者側コネクタの上面図であり、内表面部を仮想線で示している。
【図２５】図２４の線ａ−ａに概ね沿う断面図である。
【図２６】図２５において示されているものと類似の位置における、図２２の別の実施形態の患者側コネクタを示している、平面図であり、内表面部が仮想線で示されている。
【図２７】本発明の呼吸回路の３種類のサンプルの写真図であり、回路の長さの可変性を示すために、異なっている圧縮の状態における、３種類の回路を示している。
【図２８】本発明の呼気管のひだの図である。
【図２９】本発明の患者側コネクタの側面図である。
【図３０】延長回路型の呼吸回路の中に用いられている、本発明を示している第２の別の実施形態の呼吸回路の側断面図である。
【図３１】分離されている非同軸の装置側の吸気および呼気のポートを有している、呼吸回路の中に用いられている、本発明を示している第３の別の実施形態の呼吸回路の側断面図である。
【図１】
2007517601.tif 000003
【図２】
2007517601.tif 000004
【図３】
2007517601.tif 000005
【図４】
2007517601.tif 000006
【図５】
2007517601.tif 000007
【図６】
2007517601.tif 000008
【図７】
2007517601.tif 000009
【図８】
2007517601.tif 000010
【図９】
2007517601.tif 000011
【図１０】
2007517601.tif 000012
【図１１】
2007517601.tif 000013
【図１２】
2007517601.tif 000014
【図１３】
2007517601.tif 000015
【図１４】
2007517601.tif 000016
【図１５】
2007517601.tif 000017
【図１６】
2007517601.tif 000018
【図１７】
2007517601.tif 000019
【図１８】
2007517601.tif 000020
【図１９】
2007517601.tif 000021
【図２０】
2007517601.tif 000022
【図２１】
2007517601.tif 000023
【図２２】
2007517601.tif 000024
【図２３】
2007517601.tif 000025
【図２４】
2007517601.tif 000026
【図２５】
2007517601.tif 000027
【図２６】
2007517601.tif 000028
【図２７】
2007517601.tif 000029
【図２８】
2007517601.tif 000030
【図２９】
2007517601.tif 000031
【図３０】
2007517601.tif 000032
【図３１】
2007517601.tif 000033
【国際調査報告】
2007517601.tif 000034
2007517601.tif 000035